(57)【要約】本発明は、第１コンピュータが第１コンピュータの画像出力ポートを介して第１画像収集装置に第１データを送信するステップと、第１画像収集装置が第１データを受信するステップと、第１画像収集装置が第１データを第２コンピュータに送信し、又は、第１画像収集装置が第１データを処理して第２データを生成して、第２データを第２コンピュータに送信するステップとを含むデータ伝送方法及びデータ伝送装置を開示し、第１画像収集装置は、第１コンピュータの画像出力ポートに接続される画像入力ポートを含み、第１コンピュータの画像出力ポートは、第１コンピュータのビデオカードの出力ポートを含む。本発明は企業データの漏洩を効果的に減少させる。
2019509535.tif 000002
【特許請求の範囲】
【請求項１】
第１コンピュータと第２コンピュータの間でデータを伝送するデータ伝送方法であって、
前記第１コンピュータが前記第１コンピュータの画像出力ポートを介して第１画像収集装置に第１データを送信するステップと、
前記第１画像収集装置が前記第１データを受信するステップと、
前記第１画像収集装置が前記第１データを前記第２コンピュータに送信し、又は、前記第１データを処理して第２データを生成して、前記第２データを前記第２コンピュータに送信するステップとを含み、
前記第１画像収集装置は、前記第１コンピュータの画像出力ポートに接続される画像入力ポートを含み、
前記第１コンピュータの画像出力ポートは、前記第１コンピュータのビデオカードの出力ポートを含むことを特徴とするデータ伝送方法。
【請求項２】
前記第１データが送信される前、さらに、
前記第１コンピュータが、ブラウザ又はアプリケーションから送信されるデータベースへのアクセス又は変更要求を受信すると、前記要求を実現するための情報を前記第１データに記憶し、又は、
前記第１コンピュータが、前記第１コンピュータの１つのファイルにおけるコンテンツを前記第１データに記憶し、又は、
前記第１コンピュータが、前記第１コンピュータの１つのファイルにおけるコンテンツを処理して前記第１データに記憶し、又は、
前記第１コンピュータが、ウェブページにおけるコンテンツを前記第１データに記憶し、又は、
前記第１コンピュータが、前記コンピュータが外部から取得するコンテンツを前記第１データに記憶し、又は、
前記第１コンピュータが、前記第１コンピュータにおける情報を前記第１データに記憶するステップを含むことを特徴とする請求項１に記載のデータ伝送方法。
【請求項３】
さらに、
前記第２コンピュータが、前記第２コンピュータの画像出力ポートを介して
第２画像収集装置に第３データを送信するステップと、
前記第２画像収集装置が、前記第３データを前記第１コンピュータに送信し、又は、前記第３データを処理して第４データを生成して、前記第４データを前記第１コンピュータに送信するステップとを含み、
前記第２画像収集装置は、前記第２コンピュータの画像出力ポートに接続される画像入力ポートを含み、
前記第２コンピュータの画像出力ポートは、前記第２コンピュータのビデオカードの出力ポートを含むことを特徴とする請求項１に記載のデータ伝送方法。
【請求項４】
前記第３データは、前記第２コンピュータが前記第１データ又は第２データを処理して生成するものであることを特徴とする請求項３に記載のデータ伝送方法。
【請求項５】
前記第１コンピュータは、第１コンピュータの１つのファイルを前記第１データに記憶し、前記第２コンピュータは、前記第１データを受信した後、前記第１データを前記ファイルに還元し、又は、前記第１データを新しいファイルに記憶することを特徴とする請求項１に記載のデータ伝送方法。
【請求項６】
前記第１コンピュータはＷｅｂサーバ又はアプリケーションサーバであることを特徴とする請求項１−５のいずれか１項に記載のデータ伝送方法。
【請求項７】
前記第２コンピュータはデータベースサーバであることを特徴とする請求項１−５のいずれか１項に記載のデータ伝送方法。
【請求項８】
第１コンピュータ、第１画像収集装置、第２コンピュータを備える、上記請求項１−７のいずれか１項に記載のデータ伝送方法を用いたデータ伝送装置であって、
前記第１コンピュータは、前記第１コンピュータの画像出力ポートを介して第１画像収集装置に接続され、前記第１画像収集装置は第２コンピュータに接続され、前記第１コンピュータの画像出力ポートに接続される画像入力ポートを含み、前記第１コンピュータの画像出力ポートは前記第１コンピュータのビデオカードの出力ポートを含むことを特徴とするデータ伝送装置。
【請求項９】
さらに第２画像収集装置を備え、
前記第２コンピュータの画像出力ポートは前記第２画像収集装置の入力ポートに接続され、前記第２画像収集装置は、前記第２コンピュータの画像出力ポートに接続される画像入力ポートを含み、前記第１コンピュータに接続され、前記第２コンピュータの画像出力ポートは前記第２コンピュータのビデオカードの出力ポートを含むことを特徴とする請求項８に記載のデータ伝送装置。
【請求項１０】
記第１コンピュータは、前記第１コンピュータの画像出力ポートを介して前記第１画像収集装置に第１データを送信し、前記第２コンピュータは前記第１画像収集装置から前記第１データを受信し、又は、
前記第１画像収集装置は、前記第１データを処理して第２データを生成して、前記第２データを前記第２コンピュータに送信することを特徴とする請求項８又は９に記載のデータ伝送装置。
【請求項１１】
前記第２コンピュータは、前記第２コンピュータのビデオカードにより前記第２画像収集装置に第３データを送信することを特徴とする請求項１０に記載のデータ伝送装置。
【請求項１２】
前記第３データは、前記第２コンピュータが前記第１データ又は第２データを処理して生成するものであることを特徴とする請求項１１に記載のデータ伝送装置。
【発明の詳細な説明】
【技術分野】
【０００１】
本発明はインターネット／コンピュータの技術分野に関し、特にデータ伝送方法及びデータ伝送装置に関する。
【背景技術】
【０００２】
今日の社会では、多くの企業や組織が、顧客やユーザが自分のことを把握するための情報を公開する独自のウェブサイトを有するが、このようなウェブサイトは比較的大きなセキュリティ上のリスクを伴い、ハッカーによって攻撃されやすく、ハッカーの会社のウェブサイトのデータベースへのアクセスにより会社のデータが漏洩する恐れがある。
【発明の概要】
【発明が解決しようとする課題】
【０００３】
本発明の目的は、データベースサーバとＷｅｂサーバの間で新しい伝送技術が利用されるため、従来のウィルスやハッキング手段により攻撃できないデータ伝送方法及びデータ伝送装置を提供することである。
【課題を解決するための手段】
【０００４】
本発明の第１局面は、第１コンピュータと第２コンピュータの間でデータを伝送するデータ伝送方法であって、前記第１コンピュータが前記第１コンピュータのビデオカードの画像／ビデオ出力ポートを介して第１画像収集装置に第１データを送信し、前記第１画像収集装置が前記第１データを前記第２コンピュータに送信し、又は、前記第１データを処理して前記第２コンピュータに送信するステップを含むデータ伝送方法を提供する。
【０００５】
本発明の第２局面は、コンピュータとコンピュータの間でデータを伝送するデータ伝送装置であって、第１コンピュータ、第１画像収集装置、第２コンピュータ、第２画像収集装置を備え、前記第１コンピュータのビデオカードの画像／ビデオ出力ポートは前記第１画像収集装置の入力ポートに接続され、前記第２コンピュータのビデオカードの画像／ビデオ出力ポートは前記第２画像収集装置の入力ポートに接続され、前記第１コンピュータはネットワークケーブル又はＵＳＢデータ回線を介して前記第２画像収集装置に接続され、前記第２コンピュータはネットワークケーブル又はＵＳＢデータ回線を介して前記第１画像収集装置に接続されるデータ伝送装置を提供する。
【０００６】
前記第１コンピュータは、Ｗｅｂサーバ及びアプリケーションサーバのうちの１種、前記第２コンピュータは、データベースサーバである。
【０００７】
ビデオ収集装置は一般的にビデオ／画像収集装置と呼ばれ、シングルフレーム画像を収集する場合、ビデオ収集装置は画像収集装置と呼ばれてもよい。
【０００８】
本発明では、すべてのビデオ出力ポートは画像出力ポートでもあり、すべてのビデオ入力ポートは画像入力ポートでもある。
【０００９】
画像収集装置は、ビデオカードの出力ポートに接続される画像入力ポートを含む。
【００１０】
ビデオカードの出力ポートは、画像出力ポートと呼ばれてもよく、ビデオ出力ポートと呼ばれてもよい。
【図面の簡単な説明】
【００１１】
以下、図面及び実施形態を参照しながら本発明についてさらに詳細に説明する。
【図１】本発明の第１コンピュータと第２コンピュータの間でのデータ伝送方法の一実施例のフローチャートである。
【図２】本発明のデータ伝送装置の一実施例の構造模式図である。
【図３】本発明における画像の第１サンプルである。
【図４】本発明における画像の第２サンプルである。
【図５】本発明における画像の第３サンプルである。
【図６】本発明における画像の第４サンプルである。
【図７】本発明における画像の第５サンプルである。
【図８】本発明における画像の第６サンプルである。
【発明を実施するための実施形態】
【００１２】
本発明の実施例又は従来技術における技術案をより明瞭に説明するために、以下、図面を参照しながら、本発明の実施形態について説明する。勿論、以下の説明における図面は本発明の一部の実施例に過ぎず、当業者であれば、創造的な努力を必要とせずに、これら図面に基づいてほかの図面、及びほかの実施形態を想到し得る。
【００１３】
図面を簡素化させるために、各図では、本発明に関連する部分だけを模式的に示し、製品の実際な構造を示すものではない。また、図面を簡素化させて理解しやすくするために、一部の図では、同一構造又は機能を有する部材について、そのうちの１つを模式的に示し又はそのうちの１つをマークする。本明細書では、「１つ」は「１つだけ」だけでなく、「１つ以上」の場合も含む。
【００１４】
１．ウエブサイト作成
第１コンピュータ１にｗｉｎｄｏｗｓ  Ｓｅｒｖｅｒ  ２００８又はｗｉｎｄｏｗｓ  Ｓｅｒｖｅｒ  ２００８以後のバージョンのオペレーティングシステム（たとえば、ｗｉｎｄｏｗｓ  Ｓｅｒｖｅｒ  ２０１２又はｗｉｎｄｏｗｓ  Ｓｅｒｖｅｒ  ２０１２  Ｒ２）をインストールし、第１コンピュータ１においてウエブサイトＷを作成して、ユーザ名、パスワードや名前、電話番号等を含むユーザ個人情報を含むウエブサイトＷのユーザ情報をデータベースＢに記憶する。データベースＢは第２コンピュータ４にインストールされており、ウエブサイトＷのユーザ情報をデータベースＢに記憶するステップについて後述する実施例において詳細に説明する。一般的に、技術者は．ＮＥＴ、ＪＡＶＡ等の開発言語又はプラットフォームを利用してウエブサイトＷのウェブページを生成するが、後述の実施例では、プログラム開発者は必要に応じて異なる開発ツールを選択してもよい。
【００１５】
第１コンピュータはＷｅｂサーバ（Ｗｅｂ  Ｓｅｒｖｅｒ）であってもよく、アプリケーションサーバ（Ａｐｐｌｉｃａｔｉｏｎ  Ｓｅｒｖｅｒ）であってもよい。
【００１６】
アプリケーションサーバの定義は以下のいずれかであってもよい。
１）アプリケーションサーバは、ほかのコンピュータにおけるクライアントア側アプリケーション又は移動装置におけるクライアントア側アプリケーションと対応したサーバー側／クライアントア側関係を形成できる少なくとも１つのＳｅｒｖｅｒ側アプリケーションを実行するコンピュータである。
２）アプリケーションサーバは、Ｗｅｂサーバデータ又はコマンドを受信して、データをさらに処理してデータベースサーバ又はその他コンピュータに送信できる。
第２コンピュータはデータベースサーバ（Ｄａｔａｂａｓｅ  Ｓｅｒｖｅｒ）である。データベースサーバは主に、第１コンピュータ（Ｗｅｂ  サーバ又はアプリケーションサーバ又はその他コンピュータ）から送信されるデータを受信して記憶する役割を果たす。
【００１７】
２．設定
１）第１ビデオカード５と第３ビデオカード７は同一タイプのビデオカードであり、同様なドライバーを用いる。
【００１８】
初期作動では、第１ビデオカード５と第３ビデオカード７は共に信号を出力せず、特に断らない限り、第１ビデオカードは第１コンピュータのデスクトップコンテンツを出力せず、第３ビデオカードは第２コンピュータのデスクトップコンテンツを出力しない。
【００１９】
２）第１コンピュータと第２コンピュータのシステムディレクトリ（一般的に、システムディレクトリとはＣ：￥Ｗｉｎｄｏｗｓ￥Ｓｙｓｔｅｍ３２￥のことである）下又はユーザにより指定されたディレクトリ下で、それぞれＲｅｃｐｉｃ（）関数を含むダイナミックリンクライブラリＲｅｃ．ｄｌｌを追加し、関数Ｒｅｃｐｉｃ（）が備える可能性のある機能について実施例において例を挙げて詳細に説明する。
【００２０】
３）実施例では、第１コンピュータにはソフトウェアＭ、一部のプログラムＰ（プログラムＰと略称）、ソフトウェアＦ、ソフトウェアＫ及びほかのプログラムを含み、第２コンピュータにはソフトウェアＪを含み、これらプログラムの機能については実施例において詳細に説明し、開発者は一般的にる．ＮＥＴ、ＪＡＶＡ等（プログラム開発者は必要に応じて異なる開発ツールを選択できる）の開発言語（ツール）又はプラットフォームを用いてこれらプログラムを開発する。
【００２１】
４）第１コンピュータは、第１ビデオカードのビデオ／画像出力ポートを介して画像（又は第２コンピュータは第３ビデオカードのビデオ／画像出力ポートを介して画像を送信する）を送信し、画像から識別されたコンテンツは字母、数字、文字、符号を含み、コンテンツの画像での高さは１．５ミリメートル−４０ミリメートルの間にあり、画像における背景色は白色であり、コンテンツの画像での色は黒色であり、コンテンツの画像での行間は１ミリメートルー１５ミリメートルである。
【００２２】
なお、コンピュータがビデオカードのビデオ／画像出力ポートを介して送信する画像におけるデータが識別されると、実施例における画像から識別されたデータに空白行が含まないように、まず空白行を削除する。
【００２３】
５）第１又は第３ビデオカードは、１秒あたり２４フレーム（又は６０フレーム）の画像を伝送する。第１ビデオカードが出力する画像の解像度は第１画像収集装置が収集する画像の解像度と一致し、第３ビデオカードが出力する画像の解像度は第２画像収集装置が収集する画像の解像度と一致する。
【００２４】
６）画像におけるデータのフォーマットについて下記リストを参照すればよい。
【００２５】
表１
2019509535.tif 000003
【００２６】
上記表１に、画像におけるデータのフォーマットＡが示されており、画面での表示形式は図３に示される。
【００２７】
表２
2019509535.tif 000004
【００２８】
上記表２に、画像におけるデータのフォーマットＢが示されており、画面での表示形式は図４に示される。
【００２９】
表３
2019509535.tif 000005
【００３０】
上記表３に、画像におけるデータのフォーマットＣが示されており、画面での表示形式は図５に示される。
【００３１】
表４
2019509535.tif 000006
【００３２】
上記表４に、画像におけるデータのフォーマットＤが示されており、画面での表示形式は図６に示される。
【００３３】
表５
2019509535.tif 000007
【００３４】
上記表５に、画像におけるデータのフォーマットＥが示されており、画面での表示形式は図７に示される。
【００３５】
表６
2019509535.tif 000008
【００３６】
上記表６に、画像におけるデータのフォーマットＦが示されており、画面での表示形式は図８に示される。
【００３７】
本発明の一実施例では、
１、ユーザＦはウエブサイトＷのユーザ登録ページを開いて、まずユーザ名（ｚｈａｎｇ）を入力し、次にパスワード（Ｈｅｌｌｏ）を二回入力して、さらに名前（ＺｈａｎｇＳａｎ）と電話番号（１３８８８８８８８８８）を入力した後、「登録」ボタンをクリックする。
【００３８】
２、第１コンピュータは一部のプログラムＰを実行し、プログラムＰは番号を生成し、今回生成した番号が６００２であるとすれば、番号は順次増加し、プログラムＰは６００２、「Ｃｒｅａｔｅ」、ユーザ名、一回目に入力したパスワード、二回目に入力したパスワード、名前及び電話番号を１フレームの画像Ｚに記憶し、プログラムＰは１フレームの画像Ｚを画像ファイル６００２．ｊｐｇ（ＲＧＢモード）として保存し、画像ファイルを番号で命名し、６００２．ＪＰＧを第１コンピュータのＤ：￥Ｔｅｍｐ￥ディレクトリ下に保存し、ここで、１フレームの画像Ｚの画面での表示形式は図３（１フレームの画像Ｚにおけるデータのフォーマットは上記表１参照）に示される。
【００３９】
３、第１コンピュータは、該画像ファイル６００２．ｊｐｇを第１ビデオカード（第１ビデオカードは第１コンピュータを構成する部分と見される）のＶＧＡポート伝送に適する信号に変換して、次に信号を第１画像収集装置２に送信する。
【００４０】
その使用方法は以下のとおりである（なお、下記方法に制限されず、ほかの方法を使用してもよい）。
【００４１】
１）プログラムＰはダイナミックリンクライブラリＲｅｃ．ｄｌｌにおける関数Ｒｅｃｐｉｃ（）を呼び出し、６００２．ｊｐｇを関数Ｒｅｃｐｉｃ（）に伝送し、関数Ｒｅｃｐｉｃ（）は一部のプログラムを実行して、６００２．ｊｐｇのデータ情報を取得する（データ情報は画素のＲＧＢ値、ピクチャ幅、ピクチャ高さ、単一画素の占めるビット幅を含む）。
【００４２】
２）関数Ｒｅｃｐｉｃ（）は第１ビデオカードのドライバーを呼び出して、画像ファイル６００２．ｊｐｇのデータ情報を第１ビデオカードのドライバーに送信し、次に、１ビデオカードのドライバーは、画像ファイル６００２．ｊｐｇのデータ情報を第１ビデオカードのフレームメモリに送信する。
【００４３】
３）画像ファイル６００２．ｊｐｇのデータ情報がすべてフレームメモリに伝達されると、第１ビデオカードは受信したデータをＶＧＡポート伝送に適する画像信号に変換して、次に画像信号を第１画像収集装置２に送信する。
【００４４】
４、プログラムＰは２秒間おきにＤ：￥ｒｅｃｆｉｌｅディレクトリを走査し、ディレクトリ下で番号で命名されるテキストファイルがあるか否かを検出し、本実施例では、番号で命名されるテキストファイルは６００２．ｔｘｔである。
【００４５】
５、第１画像収集装置は、第１コンピュータの第１ビデオカードのビデオ／画像出力ポートから画像を受信し、第１コンピュータは、画像ファイル６００２．ｊｐｇを送信すると、画像ファイル６００２．ｊｐｇを削除する。
【００４６】
６、第１画像収集装置は、受信した画像を第２コンピュータに送信し、第２コンピュータは、画像を０００１．ｊｐｇとして保存し、又は、第１画像収集装置は、受信した画像を０００１．ＪＰＧ、０００１．ＪＰＧとして保存してそのメモリに記憶して、次に０００１．ＪＰＧを第２コンピュータに送信する。画像ファイルの命名規則として、０００１から順次増加する。
【００４７】
７、第２コンピュータは、０００１．ＪＰＧを第２コンピュータのＤ￥ｒｅｃｐｉｃ￥ディレクトリ下に記憶し、起動されると、ソフトウェアＪを実行し、ソフトウェアＪはＤ￥ｒｅｃｐｉｃ￥ディレクトリ下に新しいファイルがあるか否かを自動的に検出し、ソフトウェアＪは、Ｄ￥ｒｅｃｐｉｃ￥ディレクトリ下に新しいファイル０００１．ＪＰＧがあると検出すると、０００１．ＪＰＧにおけるデータを識別して取得する。
【００４８】
８、ソフトウェアＪによりデータの２行目が「Ｃｒｅａｔｅ」であると判断されると、第２コンピュータは下記操作を行う。
【００４９】
ソフトウェアＪが先に読み取ったデータの３行目をユーザ名として、データベースＢのユーザリストからユーザ名を検索し、次にソフトウェアＪが読み取るデータの４行目と５行目を比較する。
【００５０】
１）ユーザリストにユーザ名が存在せず、且つ、ソフトウェアＪが読み取るデータにおける４行目と５行目のデータが一致する場合、ソフトウェアＪは、データにおける３行目のデータをユーザ名、４行目のデータをパスワード、６行目のデータを名前、７行目のデータを電話番号としてデータベースＢにおける１つの記録に記憶し、データにおける１行目のデータ、ユーザ登録成功標識及び「ユーザ登録成功」を１フレームの画像Ｒに記憶し、１フレームの画像ＲをＳ６００２．ｊｐｇとして保存し、Ｓ６００２．ＪＰＧを第２コンピュータのＤ￥ｓｅｎｄｐｉｃ￥ディレクトリ下に記憶する。ここで、１フレームの画像Ｒの画面での表示形式は図４（１フレームの画像Ｒにおけるデータのフォーマットは上記表２参照）に示され、画像ファイルの命名規則は「Ｓ」＋データにおける１行目のデータである。
【００５１】
２）ユーザリストにユーザ名が存在し、又は、ソフトウェアＪが読み取るデータにおける４行目と５行目のデータが一致しない場合、「ユーザ名は既に存在し又は二回入力したパスワードは一致しない」に戻り、ソフトウェアＪは、データにおける１行目のデータ、ユーザ登録失敗標識及び「ユーザ名は既に存在し又は二回入力したパスワードは一致しない」を１フレームの画像Ｒに記憶し、１フレームの画像ＲをＳ６００２．ｊｐｇとして保存し、Ｓ６００２．ＪＰＧを第２コンピュータＤ￥ｓｅｎｄｐｉｃ￥ディレクトリ下に記憶する。ここで、１フレームの画像Ｒの画面での表示形式は図５（１フレームの画像Ｒにおけるデータのフォーマットは上記表３参照）に示され、画像ファイルの命名規則は「Ｓ」＋データにおける１行目のデータである。
【００５２】
９、第２コンピュータは、該画像ファイルＳ６００２．ｊｐｇを第３ビデオカード（第３ビデオカードは第２コンピュータを構成する部分と見なされる）のＶＧＡポート伝送に適する画像信号に変換して、次に画像信号を第２画像収集装置に１回だけ送信する。
【００５３】
その使用方法は以下のとおりである（なお、下記方法に制限されず、ほかの方法を使用してもよい）。
【００５４】
１）ソフトウェアＪはダイナミックリンクライブラリＲｅｃ．ｄｌｌにおける関数Ｒｅｃｐｉｃ（）を呼び出し、関数Ｒｅｃｐｉｃ（）は画像ファイルＳ６００２．ｊｐｇを読み取り、一部のプログラムを実行して、Ｓ６００２．ｊｐｇのデータ情報を取得する（データ情報は、画素のＲＧＢ値、ピクチャ幅、ピクチャ高さ、単一画素の占めるビット幅を含む）。
【００５５】
２）関数Ｒｅｃｐｉｃ（）は第３ビデオカードのドライバーを呼び出し、受信したＳ６００２．ｊｐｇのデータ情報を第３ビデオカード的ドライバーに送信して、次に３ビデオカードのドライバーは画像ファイルＳ６００２．ｊｐｇのデータ情報を第３ビデオカードのフレームメモリに送信する。
【００５６】
３）画像ファイルＳ６００２．ｊｐｇのデータ情報がすべてフレームメモリに伝達されると、第３ビデオカードは受信したデータをＶＧＡポート伝送に適する画像信号に変換して、次に画像信号を第２画像収集装置２に送信する。
【００５７】
なお、コンピュータが画像又は画像ファイルをビデオカードのＶＧＡポート伝送に適する画像信号に変換するステップについて、ほかの実施例において詳細な説明を省略する。
【００５８】
１０、第２画像収集装置３は第２コンピュータの第３ビデオカードの画像／ビデオ出力ポートから画像を受信し、次に画像をＲ０００１．ＪＰＧとして保存して、第２画像収集装置のメモリに記憶し、第２画像収集装置は、Ｒ０００１．ＪＰＧ画像を第１コンピュータに送信し、又は、受信した画像を第１コンピュータに送信し、第１コンピュータは、受信した画像をＲ０００１．ｊｐｇとして保存する。画像ファイルの命名規則は「Ｒ」＋ファイル番号であり、ファイル番号は、０００１から順次増加する。
【００５９】
１１、第１コンピュータは、Ｒ０００１．ＪＰＧを第１コンピュータのＤ：￥ｒｅｃｐｉｃ￥ディレクトリ下に記憶し、起動されると、ソフトウェアＭを実行し、ソフトウェアＭがＤ￥ｒｅｃｐｉｃ￥  ディレクトリ下に新しいファイルがあるか否かを自動的に検出し、Ｄ￥ｒｅｃｐｉｃ￥ディレクトリ下に新しいファイルＲ０００１．ＪＰＧがあると検出すると、ソフトウェアＪとソフトウェアＭはＲ０００１．ＪＰＧにおけるデータを識別して取得し、データにおける１行目の数字が６００２であると、ソフトウェアＭはデータを６００２．ｔｘｔとして保存して、６００２．ｔｘｔをＤ：￥ｒｅｃｆｉｌｅディレクトリ下に保存し、第１コンピュータにおけるＲ０００１．ＪＰＧを削除する。
【００６０】
１２、プログラムＰによりＤ：￥ｒｅｃｆｉｌｅディレクトリ下に６００２．ｔｘｔがあると検出されると、第１コンピュータはさらに下記操作を行う。
【００６１】
１）６００２．ｔｘｔ  ファイルにおける２行目の字母が「Ｙ」であれば、第１コンピュータは「ユーザ登録成功」をユーザＦのコンピュータに送信し、ユーザＦのコンピュータのモニタに「ユーザ登録成功」は表示される。
【００６２】
２）６００２．ｔｘｔ  ファイルにおける２行目の字母が「Ｎ」であれば、第１コンピュータは「ユーザ名は既に存在し又は二回入力したパスワードは一致しない」をユーザＦのコンピュータに送信し、ユーザＦのコンピュータのモニタに「ユーザ名は既に存在し又は二回入力したパスワードは一致しない」は表示される。
【００６３】
３）プログラムＰは第１コンピュータにおける６００２．ｔｘｔを削除する。
【００６４】
本発明の別の実施例では、
設定
第１コンピュータは、１つのＳｅｒｖｅｒ（サーバ）側アプリケーションを実行し、Ｓｅｒｖｅｒ側アプリケーションの使用するサービスデータはデータベースＢに記憶され、Ｓｅｒｖｅｒ側アプリケーションはユーザの携帯電話におけるアプリケーションＵのログイン要求を受信し、Ｓｅｒｖｅｒ側アプリケーションとユーザの携帯電話におけるプログラムＵは互いにデータを交換する。
【００６５】
１、ユーザＦはウエブサイトＷのユーザログインウェブページを開いて、ユーザ名（ｚｈａｎｇ）、パスワード（Ｈｅｌｌｏ）を入力して、「ログイン」ボタンをクリックし、又は、ユーザＦは携帯電話におけるアプリケーションＵを起動させて、ユーザ名（ｚｈａｎｇ）、パスワード（Ｈｅｌｌｏ）を入力して、「ログイン」ボタンをクリックする。
【００６６】
２、第１コンピュータは、ウエブサイトＷのアプリケーションの一部またはＳｅｒｖｅｒ側のアプリケーションの一部である一部のプログラムＰを実行し、プログラムＰは番号を生成させ、今回生成した番号が８００２であるとすれば、番号は順次増加し、プログラムＰは８００２、「ｌｏｇｉｎ」、ユーザ名及びパスワードを１フレームの画像Ｔに記憶し、画像Ｔを８００２．ｊｐｇとして保存し、８００２．ｊｐｇを第１コンピュータのＤ：￥ｐｉｃディレクトリ下に記憶する。ここで、１フレームの画像Ｔの画面での表示示形式は図６（１フレームの画像Ｔにおけるデータのフォーマットは上記表４参照）に示される。
【００６７】
３、第１コンピュータは、該画像ファイル８００２．ｊｐｇを第１ビデオカード（第１ビデオカードは第１コンピュータを構成する部分と見なされる）のＶＧＡポート伝送に適する信号に変換して、次に信号を第１画像収集装置に１回だけ送信し、プログラムＰは画像ファイル８００２．ｊｐｇを削除する。
【００６８】
５、プログラムＰは１秒間おきにＤ：￥ｒｅｃｆｉｌｅディレクトリを走査し、ディレクトリ下に番号で命名されるテキストファイルがあるか否かを検出し、本実施例では、番号で命名されるテキストファイルは８００２．ｔｘｔである。
【００６９】
６、第１画像収集装置は、第１コンピュータの第１ビデオカードのビデオ／画像出力ポートから画像Ｔを受信し、画像Ｔを０００１．ＪＰＧとして保存して、そのメモリに記憶し、次に、０００１．ＪＰＧを第２コンピュータに送信し、又は、画像Ｔを第２コンピュータに送信し、第２コンピュータは、画像Ｔを０００１．ｊｐｇとして保存し、このステップでは、画像ファイルの命名規則として、０００１から順次増加する。
【００７０】
７、第２コンピュータは、０００１．ｊｐｇを第２コンピュータのＤ：￥ｐｉｃディレクトリ下に保存し、起動されると、ソフトウェアＪを実行し、ソフトウェアＪは、Ｄ￥ｒｅｃｐｉｃ￥ディレクトリ下に新しいファイルがあるか否かを自動的に検出し、Ｄ￥ｒｅｃｐｉｃ￥ディレクトリ下に新しいファイル０００１．ＪＰＧがあると検出すると、０００１．ＪＰＧにおけるデータを識別して取得する。
【００７１】
８、ソフトウェアＪによりデータの２行目が「ｌｏｇｉｎ」であると判断されると、第２コンピュータは下記操作を行う。ソフトウェアＪが読み取るデータにおける３行目をユーザ名、４行目をパスワードとして、ソフトウェアＪはデータベースＢに記録して較正したユーザ名とパスワードを読み取る。
【００７２】
Ａ）ユーザ名とパスワードが一致すると、名前、電話番号であるユーザの個人情報に戻る。ソフトウェアＪは、データにおける１行目のデータ、ユーザログイン成功標識及びユーザの個人情報を１フレームの画像Ｙに記憶し、１フレームの画像Ｙの画面での表示形式は図７に示される（１フレームの画像Ｙにおけるデータのフォーマットは上記表５参照）。
【００７３】
Ｂ）ユーザ名とパスワードが一致しないと、「ユーザ名とパスワードが一致しない」に戻り、ソフトウェアＪは、データにおける１行目のデータ、ユーザログイン失敗標識及び「ユーザ名とパスワードが一致しない」を１フレームの画像Ｙに記憶し、１フレームの画像Ｙの画面での表示形式は図８に示される（１フレームの画像Ｙにおけるデータのフォーマットは上記表６参照）。
【００７４】
９、第２コンピュータは、該画像Ｙを第３ビデオカード（第３ビデオカードは第２コンピュータを構成する部分と見なされる）のＶＧＡポート伝送に適する画像信号に変換して、次に画像信号を第２画像収集装置に１回だけ送信する。
【００７５】
１０、第２画像収集装置は、第２コンピュータの第３ビデオカードの画像／ビデオ出力ポートから画像Ｙを受信すると、画像ＹをＲ０００１．ＪＰＧとして保存し、次にＲ０００１．ＪＰＧを第１コンピュータに送信し、又は、画像Ｙを第１コンピュータに送信し、第１コンピュータは、画像ＹをＲ０００１．ＪＰＧとして保存する。このステップでは、画像ファイルのファイル名の命名規則は「Ｒ」＋ファイル番号であり、ファイル番号は０００１から順次増加する。
【００７６】
１１、第１コンピュータは、Ｒ０００１．ＪＰＧを第１コンピュータのＤ：￥ｒｅｃｐｉｃ￥ディレクトリ下に記憶し、起動されると、ソフトウェアＭを実行し、ソフトウェアＭは、Ｄ￥ｒｅｃｐｉｃ￥ディレクトリ下に新しいファイルがあるか否かを自動的に検出し、Ｄ￥ｒｅｃｐｉｃ￥ディレクトリ下に新しいファイルＲ０００１．ＪＰＧがあると検出すると、Ｒ０００１．ＪＰＧにおける、ユーザの個人情報又は「ユーザ名とパスワードが一致しない」を含むデータを識別して取得し、データにおける１行目の数字が８００２であれば、ソフトウェアＭは、データを８００２．ｔｘｔとして保存し、８００２．ｔｘｔをＤ：￥ｒｅｃｆｉｌｅディレクトリ下に保存し、第１コンピュータにおけるＲ０００１．ＪＰＧを削除する。
【００７７】
プログラムＰによりＤ：￥ｒｅｃｆｉｌｅディレクトリ下に８００２．ｔｘｔがあると検出されると、第１コンピュータはさらに下記操作を行う。
【００７８】
データにおける１行目の数字が８００２であれば、第１コンピュータはさらに下記操作を行う。
【００７９】
１）８００２．ｔｘｔにおける２行目の字母が「Ｙ」であれば、第１コンピュータは、ユーザの個人情報をユーザＦのコンピュータ又は携帯電話に送信し、ユーザＦのコンピュータのモニタ又は携帯電話のアプリケーションに「ユーザログイン成功」は表示される。
【００８０】
２）８００２．ｔｘｔにおける２行目の字母が「Ｎ」であれば、第１コンピュータは、「ユーザ名は既に存在し又は二回入力したパスワードは一致しない」をユーザＦのコンピュータ又は携帯電話に送信し、ユーザＦのコンピュータのモニタ又は携帯電話のアプリケーションに「ユーザ名とパスワードが一致しない」は表示される。
【００８１】
３）プログラムＰは、第１コンピュータにおける８００２．ｔｘｔを削除する。
【００８２】
本発明の別の実施例では、、ハードウェアについて更に以下のように要求される。
【００８３】
第１画像収集装置は第２コンピュータに取り付けられる画像収集カードであり、第２画像収集装置は第１コンピュータに取り付けられる画像収集カードである。
【００８４】
１、ユーザＦは、ウエブサイトＷのユーザログインウェブページを開いて、ユーザ名、パスワードを入力し、「ログイン」ボタンをクリックする。
【００８５】
２、第１コンピュータは、一部のプログラムＰを実行して、範囲が５０００−６５５３５の番号を生成し、生成する番号が６５５３５より大きいと、番号は５０００に等しく、番号は順次増加し、今回生成する番号が８００２であるとすれば、プログラムＰは８００２、「ｌｏｇｉｎ」、ユーザ名及びパスワードを１フレームの画像Ｘに記憶し、１フレームの画像Ｘの画面での表示形式は図６に示される（１フレームの画像Ｘにおけるデータのフォーマットは表４参照）。
【００８６】
４、第１コンピュータは、画像Ｘを第１ビデオカード（第１ビデオカードは第１コンピュータを構成する部分と見なされる）のＶＧＡポート伝送に適する信号に変換して、次に信号を第１画像収集装置に１回だけ送信する。
【００８７】
５、プログラムＰは、データを受信するために、一部のｓｏｃｋｅｔサーバー側プログラム、一部のｓｏｃｋｅｔ受信側（サーバー側）プログラムを実行し、一部のｓｏｃｋｅｔ受信側プログラムの使用するｓｏｃｋｅｔ通信ポート番号は８００２である。
【００８８】
６、第１画像収集装置は、第１コンピュータの第１ビデオカードのビデオ／画像出力ポートから画像Ｘを収集（受信）する。
第１画像収集装置のドライバーは、第２コンピュータのダイナミックリンクライブラリＲｅｃ．ｄｌｌにおける関数Ｒｅｃｐｉｃ（）を呼び出し、画像Ｘを関数Ｒｅｃｐｉｃ（）に伝送する。
【００８９】
７、第２コンピュータのＲｅｃ．ｄｌｌにおける関数Ｒｅｃｐｉｃ（）は、一部の画像識別プログラムを実行して、画像Ｘにおけるデータを識別し、第２コンピュータは下記操作を行う。
【００９０】
第２コンピュータのＲｅｃ．ｄｌｌにおける関数Ｒｅｃｐｉｃ（）によりデータの２行目が「ｌｏｇｉｎ」であると判断されると、第２コンピュータのＲｅｃ．ｄｌｌにおける関数Ｒｅｃｐｉｃ（）が読み取るデータの３行目をユーザ名、４行目をパスワードとし、第２コンピュータのＲｅｃ．ｄｌｌにおける関数Ｒｅｃｐｉｃ（）はデータベースＢに記録して較正したユーザ名とパスワードを読み取る。
【００９１】
Ａ）ユーザ名とパスワードが一致する場合、名前、電話番号であるユーザの個人情報に戻る。第２コンピュータのＲｅｃ．ｄｌｌにおける関数Ｒｅｃｐｉｃ（）は番号、ユーザログイン成功標識及びユーザの個人情報を１フレームの画像Ｓに記憶し、１フレームの画像Ｓの画面での表示形式は図７に示される（１フレームの画像Ｓにおけるデータのフォーマットは上記表５参照）。
Ｂ）ユーザ名とパスワードが一致しない場合、「ユーザ名とパスワードが一致しない」に戻り、第２コンピュータのＲｅｃ．ｄｌｌにおける関数Ｒｅｃｐｉｃ（）は番号、ユーザログイン失敗標識及び「ユーザ名とパスワードが一致しない」を１フレームの画像Ｓに記憶し、１フレームの画像Ｓの画面での表示形式は図８に示される（１フレームの画像Ｓにおけるデータのフォーマットは上記表６参照）。
【００９２】
１０、第２コンピュータ（第３ビデオカードは２コンピュータを構成する部分と見される）は、該画像Ｓを第３ビデオカードのＶＧＡポート伝送に適する信号に変換して、次に信号を第２画像収集装置に１回だけ送信する。
【００９３】
１１、第２画像収集装置は、第２コンピュータの第３ビデオカードのビデオ／画像出力ポートから画像Ｓを収集（受信）し、第２画像収集装置のドライバーは第１コンピュータのＲｅｃ．ｄｌｌにおける関数Ｒｅｃｐｉｃ（）を呼び出し、第１コンピュータのＲｅｃ．ｄｌｌにおける関数Ｒｅｃｐｉｃ（）は一部の画像識別プログラムを実行して、画像Ｓにおけるデータを識別して取得する。
データにおける１行目の数字が８００２であれば、第１コンピュータのＲｅｃ．ｄｌｌにおける関数Ｒｅｃｐｉｃ（）は一部のｓｏｃｋｅｔ送信側プログラム（クライアントア側プログラム）を実行し、一部のｓｏｃｋｅｔ送信側プログラムは、画像から識別されたデータを送信し、一部のｓｏｃｋｅｔ送信側プログラムの使用するｓｏｃｋｅｔ通信ポート番号は８００２である。
【００９４】
１２、第１コンピュータにおけるソフトウェアＰはデータを受信し、第１コンピュータはさらに下記操作を行う。
【００９５】
１）データにおいて、字母が「Ｙ」であること、「ユーザログイン成功」及びユーザの個人情報が含まれる場合、第１コンピュータは、ユーザの個人情報をユーザＦのコンピュータに送信し、ユーザＦのコンピュータのモニタに「ユーザログイン成功」は表示される。
２）データにおいて、字母が「Ｎ」であること及び「ユーザ名とパスワードが一致しない」が含まれる場合、第１コンピュータは、「ユーザ名は既に存在し又は二回入力したパスワードは一致しない」をユーザＦのコンピュータに送信し、ユーザＦのコンピュータのモニタに「ユーザ名とパスワードが一致しない」は表示される。
【００９６】
本発明の別の実施例では、
１、第１コンピュータは、ソフトウェアＫを実行し、ソフトウェアＫは第１コンピュータにおけるファイル１．ｔｘｔを開き、ファイル１．ｔｘｔにおけるコンテンツが１０行より少なく、又は、ファイル１．ｔｘｔにおけるコンテンツが４００個の漢字より少ないとすれば、ソフトウェアＫは、ファイル名「１．ｔｘｔ」とファイル１．ｔｘｔにおけるコンテンツを、１つのフレームの二次元コード画像であってもよい画像Ｘに記憶し、ファイル名「１．ｔｘｔ」を画像Ｘの１行目に記憶し、画像Ｘを画像キュー又はタスクリストに記憶する。
【００９７】
２、第１コンピュータは、画像Ｘを第１ビデオカードのＶＧＡポート伝送に適する信号に変換し、ＶＧＡポート伝送に適する信号は信号Ｙと呼ばれ、信号Ｙは第１ビデオカードのＶＧＡポートを介して送信される。
【００９８】
３、第１画像収集装置は、第１コンピュータの第１ビデオカードのビデオ／画像出力ポートから信号Ｙを受信し、信号を０００１．ｊｐｇに変換して第２コンピュータに送信する。
【００９９】
４、第２コンピュータは０００１．ＪＰＧを受信して、０００１．ＪＰＧを第２コンピュータのＤ￥ｒｅｃｐｉｃ￥ディレクトリ下に記憶し、次にソフトウェアＪを実行し、ソフトウェアＪは０００１．ＪＰＧにおけるデータを識別（識別して復号する）して取得する。
【０１００】
５、データにおける１行目は「１．ｔｘｔ」であり、データにおける１行目以外のデータを１．ｔｘｔとして記憶し、又は、データにおける１行目以外のデータを１．ｄｏｃとして記憶する。
【０１０１】
本発明の別の実施例では、
１、第２コンピュータは、第１コンピュータの画面にアラインメントするようにウェブカメラが取り付けられ、第２コンピュータと第１コンピュータは同一ローカルエリアネットワークに位置しない。
【０１０２】
２、１本のＲＳ２３２シリアル回線を介して第２コンピュータと第１コンピュータが接続される。
【０１０３】
３、第１コンピュータは、１つのファイル１．ｔｘｔを開き、１．ｔｘｔにおけるコンテンツが１０行より少ないとすれば、１．ｔｘｔにおけるコンテンツを第１コンピュータの画面全体に表示する。
【０１０４】
４、第１コンピュータは、ＲＳ２３２シリアル回線を介して第２コンピュータに信号を送信する。
【０１０５】
５、第２コンピュータは、第１コンピュータから送信された信号を受信すると、写真を撮影して、画像を２．ｊｐｇとして保存する。
【０１０６】
６、第２コンピュータは、一部の画像識別ソフトウェアを実行して、画像識別ソフトウェアはまず２．ｊｐｇにおけるコンテンツＸを識別し、次にコンテンツＸの１行目からファイル名１．ｔｘｔを取得し、最後にコンテンツＸにおける１行目と２行目の文字を削除し、次に残りのコンテンツを１．ｔｘｔ又は１．ｄｏｃとして保存する。
【０１０７】
なお、上記いずれかの実施例では、
ビデオカードの出力ポートは、ＤＶＩ、ＨＤＭＩ等の画像出力ポートであってもよく、それに対応した画像収集装置の入力ポートも対応した画像入力ポートを使用することができ、第１コンピュータは関連する画像／画像ファイルを第１ビデオカードのＤＶＩ又はＨＤＭＩ等の出力ポート伝送に適する信号に変換して伝送し、第２コンピュータは関連する画像／画像ファイルを第３ビデオカードのＤＶＩ又はＨＤＭＩ等の出力ポート伝送に適する信号に変換して伝送する。
【０１０８】
第１コンピュータからデータを取得し画像収集装置に画像信号を送信できる装置であれば、ビデオカードの替代品として利用できる。ユーザは上記実施例における技術に基づいて、たとえばユーザパスワード変更等の複数種の操作を実施できる。
【０１０９】
また、従来の第１コンピュータの作業（又は一部の作業）は２台のコンピュータ（第１コンピュータと第３コンピュータ）により実施でき、ウエブサイトはｗｅｂサーバである第３コンピュータにおいて作成されており、第３コンピュータはデータベースをアクセスするのに必要な情報を第１コンピュータに送信し、第１コンピュータはデータベースをアクセスするのに必要な情報を画像Ａに記憶し、第１画像収集装置により画像Ａをデータベースサーバ（第２コンピュータ）に送信し（その他のステップの詳細な説明を省略する）、このとき、第１コンピュータはアプリケーションサーバとも呼ばれる。
【０１１０】
本発明の別の実施例では、図１に示されるように、データ伝送方法は、第１コンピュータと第２コンピュータの間でデータを伝送し、下記ステップを含む。
【０１１１】
ステップＳ１０、第１コンピュータは第１コンピュータのビデオカードのビデオ／画像出力ポートを介して第１画像収集装置に第１データを送信する。
第１画像収集装置は、第１コンピュータの画像出力ポートに接続される画像入力ポートを含み、第１コンピュータの画像出力ポートは第１コンピュータのビデオカードの出力ポートを含む。
第１コンピュータのビデオカードのビデオ／画像出力ポートは第１コンピュータの画像出力ポートである。
【０１１２】
ステップＳ２０、第１画像収集装置は第１データを受信し、第１データを第２コンピュータに送信し、又は、第１データを処理して第２データを生成して、第２データを第２コンピュータに送信する。
【０１１３】
ステップＳ３０、第２コンピュータは第２コンピュータのビデオカードのビデオ／画像出力ポートを介して第２画像収集装置に、第２コンピュータで第１データ又は第２データを処理して生成する第３データを送信する。
第２コンピュータのビデオカードのビデオ出力ポートは第２コンピュータの画像出力ポートである。
第２画像収集装置は、第２コンピュータの画像出力ポートに接続される画像入力ポートを有する。
第２コンピュータの画像出力ポートは、第２コンピュータのビデオカードの出力ポートを含む。
【０１１４】
ステップＳ４０、第２画像収集装置は第３データを第１コンピュータに送信し、又は、第３データを処理して第４データを生成して、第４データを第１コンピュータに送信する。
【０１１５】
好ましくは、第１画像収集装置は、第１コンピュータの画像出力ポートに接続される画像入力ポートを含み、第１コンピュータの画像出力ポートは第１コンピュータのビデオカードの出力ポートを含む。
好ましくは、第３データは、第２コンピュータで第１データ又は第２データを処理して生成するものである。
【０１１６】
好ましくは、第１データが送信される前、さらに、第１コンピュータがブラウザ又はアプリケーションから送信されたデータベースへのアクセス又は変更要求を受信すると、要求を実現するために必要な情報は第１コンピュータにより第１データに記憶され、又は、第１コンピュータは第１コンピュータの１つのファイルにおけるコンテンツを第１データに記憶し、又は、第１コンピュータは、第１コンピュータの１つのファイルにおけるコンテンツを処理して第１データに記憶し、又は、第１コンピュータは、ウェブページにおけるコンテンツを第１データに記憶し、又は、第１コンピュータは、コンピュータが外部から取得するコンテンツを第１データに記憶し、又は、第１コンピュータは、第１コンピュータにおける情報を第１データに記憶する。
【０１１７】
好ましくは、第１コンピュータは、第１コンピュータの１つのファイルを第１データに記憶し、第２コンピュータは、第１データを受信すると、第１データをファイルに還元し、又は、第１データを新しいファイルに記憶する。
【０１１８】
本発明の別の実施例では、図２に示されるように、データ伝送装置は、第１コンピュータ１、第１画像収集装置２、第２コンピュータ３を備え、第１コンピュータ１は、第１コンピュータの画像出力ポートを介して第１画像収集装置２に接続され、第１画像収集装置は第２コンピュータ３に接続され、第１画像収集装置は、第１コンピュータの画像出力ポートに接続される画像入力ポートを含み、第１コンピュータの画像出力ポートは、第１コンピュータのビデオカードの出力ポートを含む。
【０１１９】
第１コンピュータ１は第１モニタ９に接続された第２ビデオカード６をさらに備え、第１コンピュータ１におけるコンテンツは第２ビデオカード６を介して第１モニタ９に表示される。同様に、第２コンピュータ２は第２モニタ１０に接続された第４ビデオカード８をさらに備え、第２コンピュータ２におけるコンテンツは第４ビデオカード８を介して第２モニタ１０に表示される。
【０１２０】
好ましくは、第２画像収集装置３をさらに備える。第２コンピュータの画像出力ポートは第２画像収集装置３の入力ポートに接続され、画像収集装置は、第２コンピュータの画像出力ポートに接続される画像入力ポートを含み、第２画像収集装置は第１コンピュータに接続され、第２コンピュータの画像出力ポートは第２コンピュータのビデオカードの出力ポートを含む。
【０１２１】
好ましくは、第１コンピュータは、第１コンピュータの画像出力ポートを介して第１画像収集装置に第１データを送信し、第２コンピュータは第１画像収集装置から第１データを受信し、又は、第１画像収集装置は第１データを処理して第２データを生成して、第２データを第２コンピュータに送信する。
【０１２２】
好ましくは、第２コンピュータは第２コンピュータのビデオカードを介して第２画像収集装置に第３データを送信する。
【０１２３】
好ましくは、第３データは第２コンピュータで第１データ又は第２データを処理して生成するものである。
【０１２４】
なお、上記実施例は必要に応じて任意に組み合わせることができる。以上は本発明の好適実施形態に過ぎず、当業者であれば、本発明の原理を逸出せずに、いくつかの改良や修飾を行うことができ、これら改良や修飾も本発明の保護範囲に属する。
【符号の説明】
【０１２５】
１．第１コンピュータ、２．第１画像収集装置、３．第２画像収集装置、４．第２コンピュータ、５．第１ビデオカード、６．第２ビデオカード、７．第３ビデオカード、８．第４ビデオカード、９．第１モニタ、１０．第２モニタ。
【図１】
2019509535.tif 000009
【図２】
2019509535.tif 000010
【図３】
2019509535.tif 000011
【図４】
2019509535.tif 000012
【図５】
2019509535.tif 000013
【図６】
2019509535.tif 000014
【図７】
2019509535.tif 000015
【図８】
2019509535.tif 000016
【国際調査報告】
2019509535.tif 000017
2019509535.tif 000018
2019509535.tif 000019
2019509535.tif 000020